(57)【要約】【課題】径が小さく安価な間伐材の有効利用を図ることを可能とし、もって国内林業を保護育成して活性化させるようにする。【解決手段】間伐材を利用して構成することが可能な木造建築構造用パネルであって、断面の縦横寸法がそれぞれ３０ｍｍ〜１５０ｍｍの範囲内に設定された複数本の縦木材１，２と、断面の縦横寸法がそれぞれ３０ｍｍ〜１５０ｍｍの範囲内に設定されるとともに、各縦木材１，２を横方向に連結することにより格子状枠体５を構成する複数本の横木材３と、これらの縦木材１，２および横木材３により構成された格子状枠体５の少なくとも一面を覆うように設置されて固定される壁面板４とを設けた。【選択図】  図２
2004232384.tif 000002
【特許請求の範囲】
【請求項１】
間伐材を利用して構成することが可能な木造建築構造用パネルであって、断面の縦横寸法がそれぞれ３０ｍｍ〜１５０ｍｍの範囲内に設定された複数本の縦木材と、断面の縦横寸法がそれぞれ３０ｍｍ〜１５０ｍｍの範囲内に設定されるとともに、各縦木材を横方向に連結することにより格子状枠体を構成する複数本の横木材と、これらの縦木材および横木材により構成された格子状枠体の少なくとも一面を覆うように設置されて固定される壁面板とを備えたことを特徴とする木造建築構造用パネル。
【請求項２】
間伐材を利用して構成することが可能な木造建築構造であって、断面の縦横寸法がそれぞれ３０ｍｍ〜１５０ｍｍの範囲内に設定された複数本の縦木材と、断面の縦横寸法がそれぞれ３０ｍｍ〜１５０ｍｍの範囲内に設定されるとともに、各縦木材を横方向に連結することにより格子状枠体を構成する複数本の横木材と、これらの縦木材および横木材により構成された格子状枠体の少なくとも一面を覆うように設置されて固定される壁面板とを備えた複数の木造建築構造用パネルが組み合わされてなることを特徴とする木造建築構造。
【発明の詳細な説明】
【０００１】
【発明の属する技術分野】
本発明は、間伐材を利用して構成することが可能な木造建築構造用パネルおよび木造建築構造に関するものである。
【０００２】
【従来の技術】
従来の木造建築構造は、土台、柱、胴差、桁および筋違等を軸組材として構成された日本式の軸組構造が一般的である。この軸組構造は、反り、割れおよびねじれ等の木材の性質を一本ずつ見定めながら、伝統的な仕口・継手等を大工職人による手作業で加工し、これらを連結することにより構成されていた。
【０００３】
【発明が解決しようとする課題】
上記のように木材に伝統的な仕口・継手等を手作業で加工することにより構成される従来の軸組構造は、その加工および組立に熟練度を要するとともに、手間が掛かるため、工事費用が高くなるという問題があった。
【０００４】
また、従来の木造建築構造は、建築物に作用する荷重を主として上記柱等からなる軸組材により支持するように構成されているので、この軸組材として所定の径を有するものを使用する必要がある。この結果、上記軸組材として安価な輸入材が大量に使用され、我が国には多くの木材資源があるにも拘わらず、これらが有効に利用されることなく放置され、山林が荒れているのが現状である。
【０００５】
すなわち、経済性を重視するために、安価な輸入木材が利用されることにより我が国の林業が衰退し、間伐等の手入れが行き届かないこと等に起因して、山林内に適度に光が入らなくなり、表土の流失防止効果および保水効果を有する下草の発育が阻害され、山林の保水能力が減少し、また崖崩れが起き易くなる等の問題が生じている。
【０００６】
本発明は、上記の点に鑑みてなされたものであり、径が小さく安価な間伐材の有効利用を図ることを可能とし、もって国内林業を保護育成して活性化させることができる木造建築構造用パネルおよび木造建築構造を提供することを目的としている。
【０００７】
【課題を解決するための手段】
請求項１に係る発明は、間伐材を利用して構成することが可能な木造建築構造用パネルであって、断面の縦横寸法がそれぞれ３０ｍｍ〜１５０ｍｍの範囲内に設定された複数本の縦木材と、断面の縦横寸法がそれぞれ３０ｍｍ〜１５０ｍｍの範囲内に設定されるとともに、各縦木材を横方向に連結することにより格子状枠体を構成する複数本の横木材と、これらの縦木材および横木材により構成された格子状枠体の少なくとも一面を覆うように設置されて固定される壁面板とを備えたものである。
【０００８】
上記構成によれば、従来の軸組構造に比べて断面の縦横寸法がそれぞれ比較的小さく、間伐材等を利用して形成される縦木材および横木材を使用することにより、所定の荷重を支持することができる木造建築構造用パネルが容易かつ安価に得られることになる。
【０００９】
請求項２に係る発明は、間伐材を利用して構成することが可能な木造建築構造であって、断面の縦横寸法がそれぞれ３０ｍｍ〜１５０ｍｍの範囲内に設定された複数本の縦木材と、断面の縦横寸法がそれぞれ３０ｍｍ〜１５０ｍｍの範囲内に設定されるとともに、各縦木材を横方向に連結することにより格子状枠体を構成する複数本の横木材と、これらの縦木材および横木材により構成された格子状枠体の少なくとも一面を覆うように設置されて固定される壁面板とを備えた複数の木造建築構造用パネルが組み合わされてなるものである。
【００１０】
上記構成によれば、従来の軸組構造に比べて断面の縦横寸法がそれぞれ比較的小さく、間伐材等を利用して形成される縦木材および横木材を使用することにより構成された複数の木造建築構造用が組み合わされることにより、木造建築構造が容易かつ安価に得られることになる。
【００１１】
【発明の実施の形態】
図１〜図３は、本発明に係る木造建築構造用パネルの実施形態を示している。この木造建築構造用パネルは、断面の縦横寸法がそれぞれ６０ｍｍ×６０ｍｍ程度に設定された左右一対の第１縦木材１と、断面の縦横寸法がそれぞれ６０ｍｍ×１２０ｍｍ程度に設定された中央の第２縦木材２と、断面の縦横寸法がそれぞれ６０ｍｍ×６０ｍｍ程度に設定された３本の横木材３と、上記第１，第２縦木材１，２の上下両端部および中央部を上記横木材３により横方向に連結してなる格子状枠体５の外面部（室外側の壁面部）を覆うように設置される壁面板４とを有している。この壁面材４としては、構造用合板または杉板材等が好適に使用されるとともに、各種合板、またはＭＤＦ（ミドル・デンシティ・ファイバーボード）、ＬＶＬ（ラミネーテッド・ベニヤ）、ＯＳＢ（オリエンテッド・ストランド・ボード）、無機質系、セメント系もしくはスチール系等のパネル材をも使用可能であり、その板厚は１ｍｍ〜６０ｍｍの範囲内で、必要な強度を有するものが選定されて使用される。
【００１２】
上記第１，第２縦木材１，２と横木材３との結合部には、相欠き継ぎ用の切欠きが形成されている。そして、上記第１，第２縦木材１，２および横木材３が組み合わされることにより構成された格子状枠体５の一面に、上記壁面板４が釘止めもしくはビス止めされる等により、木造建築物の壁面部を構成する壁構造用パネル６が形成されるようになっている。
【００１３】
上記壁面板４は、その上下寸法および左右寸法が上記格子状枠体５よりもそれぞれ所定長さだけ大きく設定され、後述するように木造住宅を建設する際に、壁構造用パネル６の側辺部に沿って設置された左右一対の柱材７の外面が、上記壁面板４の左右両端部により覆われるとともに、この壁面板４の上下両端部により、土台１５および柱頭つなぎ材１６等の外面が覆われるように構成されている（図１５および図１６参照）。
【００１４】
本実施形態では、上記格子状枠体５の外形寸法、つまり横方向寸法および縦方向寸法を、９１０ｍｍ×２５３８ｍｍ程度に設定し、上記壁面板１３として１２ｍｍ程度の板厚を有する合板材を使用している。そして、壁面板６の外縁部が上記格子状枠体４の左右方向および上下方向にそれぞれ６０ｍｍ程度だけ突出するように、上記壁面板６の外形寸法を設定している。なお、格子状枠体５の横方向寸法は、４５０ｍｍ〜１０００ｍｍ程度の範囲内で任意の値に設定可能であるとともに、格子状枠体５の縦方向寸法は、９００ｍｍ〜３０００ｍｍ程度の範囲内で任意に設定可能である。また、上記柱材７として、その断面の縦横寸法がそれぞれ１２０ｍｍ×１２０ｍｍ程度に設定された間伐材製の木材を使用している。
【００１５】
図４および図５は、断面の縦横寸法がそれぞれ６０ｍｍ×１２０ｍｍ程度に設定された左右一対の第１縦木材８と、断面の縦横寸法がそれぞれ１２０ｍｍ×１２０ｍｍ程度に設定された中央の第２縦木材９と、断面の縦横寸法がそれぞれ６０ｍｍ×１２０ｍｍ程度に設定された複数本の第１横木材１０と、断面の縦横寸法がそれぞれ１２０ｍｍ×１２０ｍｍ程度に設定された複数本の第２横木材１１とが縦横に組み合わされることにより格子状枠体１２が構成されるとともに、この格子状枠体１２の少なくとも下面が壁面板１３により覆われた天井構造用パネル１４を示している。
【００１６】
すなわち、上記天井構造用パネル１４は、左右一対の第１縦木材８と、その中央に配設される第２縦木材９との間に、その幅方向に延びるように上記第１，第２横木材１０，１１が所定間隔で配設されることにより、格子状枠体１２が構成されるとともに、その下面にそれぞれ２枚の壁面板１３が釘止めもしくはビス止めされる等により構成されている。なお、上記壁面板１３は、壁構造用パネル６の壁面板４と同様の素材からなり、この２枚の壁面板１３が連結されることにより構成される壁面体の縦方向寸法および横方向寸法は、上記格子状枠体１２と同寸法に設定され、この格子状枠体１２の下面全体が上記両壁面板１３により覆われるようになっている。
【００１７】
本実施形態では、上記格子状枠体１２および天井構造用パネル１４の外形寸法、つまり横方向寸法および縦方向寸法を、９１０ｍｍ×３６４０ｍｍ程度に設定するとともに、上記第１，第２横木材１０，１１をそれぞれ４５５ｍｍ程度の間隔で配設し、上記壁面板１３として１２ｍｍの板厚を有する合板材を使用している。なお、格子状枠体１２および天井構造用パネル１４の横方向寸法は、４５０ｍｍ〜１０００ｍｍ程度の範囲内で任意の値に設定可能であるとともに、格子状枠体５の縦方向寸法は、９００ｍｍ〜４０００ｍｍ程度の範囲内で任意に設定可能である。
【００１８】
上記壁構造用パネル６および天井構造用パネル１４からなる建築構造用パネルを使用した木造家屋の建築方法について以下に説明する。まず、図６に示すように、地盤面に設置されたコンクリート基礎（図示せず）の上に、断面の縦横寸法がそれぞれ１２０ｍｍ×１２０ｍｍ程度に設定された間伐材製の木材等からなる土台１５を載置し、この土台１５をアンカーボルトによりコンクリート基礎に緊結する。
【００１９】
そして、上記壁構造用パネル６と柱材７とを工場において予め一体化することにより形成した複数の壁構造体を、上記土台１５上に載置して釘止めもしくはビス止めする等により固定する。なお、上記柱材７の上下両端部には、それぞれ所定寸法（３０ｍｍ角程度）のほぞが形成され、このほぞが土台１５に形成されたほぞ穴に挿入されることにより結合されるように構成されている。
【００２０】
図７に示すように、戸口または窓となる開口部１８を除き、上記壁構造用パネル６と柱材７とからなる所定数の壁構造体を土台１５の略全周に設置することにより一階部Ａを構成した後、図８に示すように、この一階部Ａの上端部外周を囲繞するように、断面の縦横寸法がそれぞれ６０ｍｍ×１２０ｍｍ程度に設定された木材からなる柱頭つなぎ材１６を設置し、この柱頭つなぎ材１６を上記柱７の上端部に釘止めもしくはビス止め等により固定する。また、必要に応じて上記開口部１８の上方に垂壁１８ａを取り付けるとともに、腰壁（図示せず）を取り付ける。これらの垂壁１８ａおよび腰壁は、その外形寸法を除いて壁構造用パネル６と同様に構成されたものである。
【００２１】
その後、図９に示すように、予め工場において生産された所定数の天井構造用パネル１４を、一階部Ａの天井面全体を覆うように設置し、上記柱頭つなぎ材１６に釘止めもしくはビス止めする等の手段で順次固定する。また、図１０に示すように、上記床構造用パネル１４により構成された一階部Ａの上端部の外周面全体を覆うように、断面の縦横寸法がそれぞれ１２０ｍｍ×６０ｍｍ程度に設定された間伐材製の木材等からなるパッキン材１７を設置して固定するとともに、その上に断面の縦横寸法がそれぞれ６０ｍｍ×１２０ｍｍ程度に設定された間伐材製の木材等からなる二階部用の柱脚つなぎ材１９を必要個所（二階部Ｂ用の壁面構造体が設置される個所）に載置して固定する。
【００２２】
次いで、図１１に示すように、一階部Ａと同様に戸口または窓となる開口部１８を除き、壁構造用パネル６と柱材７とからなる所定数の壁構造体を上記柱脚つなぎ材１９上に設置して固定する。具体的には、図１７に示すように、一階部Ａ用の壁構造用パネル６の上端部に位置する横木３と、その上に載置された柱頭つなぎ材１６およびパッキン材１７と、その上に設置された脚柱つなぎ材１９と、二階部Ｂ用の壁構造用パネル６の下端部に位置する横木３とを、ねじ軸およびナットからなる締結具３１で一体に締結することにより、上記両つなぎ材１６，１９およびパッキン材１７を介して上下の壁構造用パネル６を同時に固定する。なお、上下の横木３，３を締結する締結具３１に加え、もしくはこの締結具３１に代え、図１７の仮想線で示すように、上記両つなぎ材１６，１９と、天井構造用パネル１４の横木材１０とを一体に締結する締結具３２を設けた構造としてもよい。
【００２３】
上記壁構造用パネル６と柱材７とからなる所定数の壁構造体により二階部Ｂを構成した後、図１２に示すように、この二階部Ｂの上端部全周を囲繞するように、断面の縦横寸法がそれぞれ６０ｍｍ×１２０ｍｍ程度に設定された間伐材製の木材等からなる二階壁つなぎ材２０を設置し、この二階壁つなぎ材２０を上記柱７の上端部に釘止めもしくはビス止め等により固定する。また、必要に応じて上記開口部１８の上方に垂壁１８ａを取り付けるとともに、開口部１８の下方に腰壁１８ｂを取り付ける。
【００２４】
その後、図１３に示すように、予め工場において生産された所定数の天井構造用パネル１４を、二階部Ｂの天井部全体を覆うように設置し、上記二階壁つなぎ材２０に釘止めもしくはビス止めする等の手段で順次固定する。そして、図１４に示すように、垂木２１，母屋２２および小屋束２３等からなる小屋組Ｃを上記二階部Ｂ上に形成し、この小屋組Ｃに従来周知の屋根材を設置するとともに、上記壁構造体の内面に内装材を設置するとともに、各階の床面に床材を設置する。
【００２５】
上記壁構造用パネル６および天井構造用パネル１４からなる木造建築構造用パネルを構成する縦木材１，２，８，９および横木材３，１０，１１は、その断面の縦横寸法がそれぞれを、木造建築構造の大きさおよび用途等に応じ、３０ｍｍ〜１５０ｍｍの範囲内で適宜に設定される。この範囲に設定したのは、上記縦木材１，２，８，９および横木材３，１０，１１の断面の縦横寸法が６０ｍｍ未満であると、木造建築構造の強度が不足し、また縦木材１，２，８，９および横木材３，１０，１１の断面の縦横寸法が１５０ｍｍを超えると、木造建築構造用パネルの重量が増大するとともに、国内で得られる間伐材を利用して上記縦木材１，２，８，９および横木材３，１０，１１を形成することが困難だからである。また、木造建築構造の強度を充分に維持するとともに、間伐材の利用を図るためには、上記縦木材１，２，８，９および横木材３，１０，１１の断面の縦横寸法を６０ｍｍ〜１２０ｍｍの範囲内に設定することが望ましい。
【００２６】
上記のように断面の縦横寸法がそれぞれ３０ｍｍ〜１５０ｍｍの範囲内に設定された複数本の縦木材１，２と、断面の縦横寸法がそれぞれ３０ｍｍ〜１５０ｍｍの範囲内に設定されるとともに、各縦木材１，２を横方向に連結することにより格子状枠体５を構成する複数本の横木材３と、これらの縦木材１，２および横木材３により構成された格子状枠体５の一面を覆うように設置されて固定される壁面板４とにより壁構造用パネル６を構成するとともに、断面の縦横寸法がそれぞれ３０ｍｍ〜１５０ｍｍの範囲内に設定された複数本の縦木材８，９と、断面の縦横寸法がそれぞれ３０ｍｍ〜１５０ｍｍの範囲内に設定されるとともに、各縦木材８，９を横方向に連結することにより格子状枠体１２を構成する複数本の横木材１０，１１と、これらの縦木材８，９および横木材１０，１１により構成された格子状枠体１２の一面を覆うように設置されて固定される壁面板１３とにより天井構造用パネル１４を構成したため、輸入材を使用することなく、杉または檜等の間伐材を使用して所定の強度を有する木造住宅を安価に建設することができる。
【００２７】
すなわち、断面の縦横寸法がそれぞれ上記範囲内に設定された縦木材１，２，８，９および横木材３，１０，１１により格子状枠体５，１２を構成したため、国内で安価に入手できる間伐材を有効に利用して上記壁構造用パネル６および天井構造用パネル１４からなる木造建築構造用パネルを得ることができる。そして、上記格子状枠体５，１２の一面を覆うように壁面板４，１３を設置して固定するように構成したため、複雑な仕口または継手を設けることなく、かつ上記のように比較的径の小さな木材を使用して上記格子状枠体５，１４を構成したにも拘わらず、充分な強度および剛性を有する木造建築構造用パネルを形成することができる。
【００２８】
例えば、上記実施形態に示すように断面の縦横寸法がそれぞれ６０ｍｍ〜１２０ｍｍの範囲内に設定された上記縦木材１，２および横木材３を使用し、かつ最も簡単な相欠き継によりこれを組み合わせて上記外形寸法（７９０ｍｍ×２５３８ｍｍ）を有する格子状枠体５を構成するとともに、これに壁面板４を固定した場合においても、充分な強度および剛性を有する壁構造用パネル６を得られ、また断面の縦横寸法がそれぞれ６０ｍｍ〜１２０ｍｍの範囲内に設定された上記縦木材８，９および横木材１０，１１を使用し、これを単に突き合わせて上記格子状枠体１２を構成するとともに、これに壁面板４を固定した場合においても、充分な強度および剛性を有する天井構造用パネル１４が得られることが、計算および実験により確認されている。
【００２９】
したがって、上記の構成を有する木造建築構造用パネル組み合わせることにより、熟練した大工職人によることなく、所定の強度および剛性を有するとともに、優れた外観を備えた木造住宅等を建設することができる。しかも、杉材または檜材等の間伐材を有効に利用することができるため、森林における間伐材等の手入れが促進され、これによって我が国の林業が保護育成されて活性化されるという利点がある。
【００３０】
また、上記実施形態では、壁構造用パネル６を構成する壁面板４の左右寸法を上記格子状枠体５よりもそれぞれ所定長さだけ大きく設定したため、図１５に示すように、上記壁面板４の左右両端部４ａ，４ａを、柱材７の外面側に重ねた状態で、この部分に釘を打ち付けることにより、上記壁構造用パネル６と、柱材７とを容易かつ強固に連結することができる。なお、上記柱材７を介して複数の壁構造用パネル６を左右に連設し得るようにするために、上記格子状枠体５の左右に突出する壁面板４の左右両端部４ａ，４ａの突出量を、柱材７の幅寸法の半分程度に設定することが望ましい。
【００３１】
さらに、上記壁構造用パネル６を構成する壁面板４の上下寸法を上記格子状枠体５よりもそれぞれ所定長さだけ大きく設定したため、図１６に示すように、上記壁面材４の下端部４ｂを土台１５またはつなぎ材１９の外面側に重ねるとともに、壁面材４の上端部４ｃをつなぎ材１６，２０の外面側に重ねた状態で、これらの重ね合わせ部分に釘を打ち付けることにより、上記壁構造用パネル６の上下両端部を、土台１５等からなる木造建築構造体に容易かつ強固に固定できるという利点がある。
【００３２】
また、上記実施形態では、図１７に示すように、一階部Ａ用の壁構造用パネル６の上端部に位置する横木材３と、その上に載置された柱頭つなぎ材１６およびパッキン材１７と、その上に設置された柱脚つなぎ材１９と、二階部Ｂ用の壁構造用パネル６の下端部に位置する横木３とを、ねじ軸およびナットからなる締結具３１により一体に締結するように構成したため、上下の壁構造用パネル６を同時に、しかも強固に固定することができる。したがって、大径かつ長尺の通し柱等を設けることなく、所定の強度を有する複数階建ての木造住宅を容易に建設することができる。
【００３３】
なお、上記実施形態では、壁構造用パネル６および天井構造用パネル１４を構成する格子状枠体５，１２の一面のみに壁面板４，１３を設置した例について説明したが、上記格子状枠体５，１２の表裏両面に壁面板４，１３をそれぞれ設置して固定するように構成してもよい。このように構成した場合には、上記壁構造用パネル６および天井構造用パネル１４の強度および剛性を、さらに効果的に向上させることができるとともに、これらを予め工場生産しておくことにより、建築現場における内装材または床材の設置作業を省略できるという利点がある。
【００３４】
また、上記壁構造用パネル６を建築物の外周部のみに設置してなる上記実施形態に代え、上記壁構造用パネル６を建築物の間仕切り部に設置することも可能であるとともに、上記天井構造用パネル１４と同様の構成を有するパネルを一階部Ａの床材として利用することも可能である。さらに、本発明に係る木造建築構造用パネルおよび木造建築構造は、個人用の木造住宅に限定されることなく、店舗、事務所、倉庫または学校、病院、研修施設等に広く適用可能であり、かつ上記格子状枠体５，１２を構成する縦木材１，２，８，９および横木材３，１０，１１として、間伐材以外の通常の国内産木材または輸入材を使用可能であることは勿論である。
【００３５】
【発明の効果】
以上説明したように、本発明は、間伐材を利用して構成することが可能な木造建築構造用パネルであって、断面の縦横寸法がそれぞれ３０ｍｍ〜１５０ｍｍの範囲内に設定された複数本の縦木材と、断面の縦横寸法がそれぞれ３０ｍｍ〜１５０ｍｍの範囲内に設定されるとともに、各縦木材を横方向に連結することにより格子状枠体を構成する複数本の横木材と、これらの縦木材および横木材により構成された格子状枠体の少なくとも一面を覆うように設置されて固定される壁面板とにより木造建築構造用パネルを形成し、また複数枚の木造建築構造用パネルを組み合わせることにより、木造建築物を建設するようにしたため、熟練した大工職人によることなく、所定の強度および剛性を有するとともに、優れた外観を備えた木造住宅等からなる建築物を形成することができる。したがって、杉材または檜材等の間伐材を有効に利用することができるため、森林における間伐材等の手入れを促進して我が国の林業を保護育成することができるという利点がある。
【図面の簡単な説明】
【図１】壁構造用パネルの格子状枠体を構成する部材の具体例を示す斜視図である。
【図２】壁構造用パネルの具体例を示す斜視図である。
【図３】壁構造用パネルと柱材とを示す斜視図である。
【図４】天井構造用パネルの格子状枠体を構成する部材の具体例を示す斜視図である。
【図５】天井構造用パネルの具体例を示す斜視図である。
【図６】土台上に壁構造用パネルを設置した状態を示す斜視図である。
【図７】壁構造用パネルにより構成された一階部の具体例を示す斜視図である。
【図８】一階部上に柱頭つなぎ材を設置した状態を示す斜視図である。
【図９】一階部上に天井構造用パネルを設置した状態を示す斜視図である。
【図１０】一階部上に二階部用の柱脚つなぎ材を設置した状態を示す斜視図である。
【図１１】一階部上に二階部を構成した状態を示す斜視図である。
【図１２】二階部上に二階壁つなぎ材を設置した状態を示す斜視図である。
【図１３】二階部上に天井構造用パネルを設置した状態を示す斜視図である。
【図１４】二階部上に設置される小屋組の具体例を示す斜視図である。
【図１５】壁構造用パネルの設置状態を示す平面図である。
【図１６】壁構造用パネルの設置状態を示す側面図である。
【図１７】一階部と二階部との壁構造用パネルの連結状態を示す側面図である。
【符号の説明】
１，２  縦木材
３  横木材
４  壁面板
５  格子状枠体
６  壁構造用パネル
８，９  縦木材
１０，１１  横木材
１２  格子状枠体
１３  壁面板
１４  天井構造用パネル
【図１】
2004232384.tif 000003
【図２】
2004232384.tif 000004
【図３】
2004232384.tif 000005
【図４】
2004232384.tif 000006
【図５】
2004232384.tif 000007
【図６】
2004232384.tif 000008
【図７】
2004232384.tif 000009
【図８】
2004232384.tif 000010
【図９】
2004232384.tif 000011
【図１０】
2004232384.tif 000012
【図１１】
2004232384.tif 000013
【図１２】
2004232384.tif 000014
【図１３】
2004232384.tif 000015
【図１４】
2004232384.tif 000016
【図１５】
2004232384.tif 000017
【図１６】
2004232384.tif 000018
【図１７】
2004232384.tif 000019